(57)【要約】【課題】引輪と同様の使い方が可能であり、頸の後ろ等でワンタッチで操作できるという、操作性に優れた装身具用連結具を提供することをその目的とする。【解決手段】中間部位において連結軸を用いて連結された一対の連結部材を備え、一方の連結部材の開放端部には係合凹部を設けるとともに、他方の筒状とした連結部材の開放端部には、首振り可能にフック部材を取り付けてあり、前記フック部材は前記他方の連結部材の開放端部に回動可能に軸着されていて、係合フックの軸着位置とは反対側において筒状の連結部材に内蔵したバネによって係合フックを閉じる方向に付勢され、かつ前記バネはその他端に配置した小球が、前記一方の連結部材の軸着部分の小球用凹部にはまり合うよう付勢して、前記一対の連結部材の閉鎖状態を確実に保持するとともに、前記一対の連結部材を開いたときには開放状態を確実に保持するようにしたことを特徴とする装身具用連結具。【選択図】図３
2012187335.tif 000002
【特許請求の範囲】
【請求項１】
中間部位において連結軸を用いて連結された一対の連結部材を備え、一方の連結部材の開放端部には係合凹部を設けるとともに、他方の筒状とした連結部材の開放端部には、首振り可能にフック部材を取り付けてあり、
該フック部材の係合フックを前記係合凹部に係合させて一対の連結部材間を閉鎖したり、前記フック部材の係合フックを解除して一対の連結部材間を開放するようにした装身具用連結具であって、
前記フック部材は前記他方の連結部材の開放端部に回動可能に軸着されていて、係合フックの軸着位置とは反対側において筒状の連結部材に内蔵したバネによって係合フックを閉じる方向に付勢され、かつ前記バネはその他端に配置した小球が、前記一方の連結部材の軸着部分の小球用凹部にはまり合うよう付勢して、前記一対の連結部材の閉鎖状態を確実に保持するとともに、前記一対の連結部材を開いたときには開放状態を確実に保持するようにしたことを特徴とする装身具用連結具。
【請求項２】
前記一方の連結部材は、その外面に連結用チェーン類を取り付け可能な連結用チェーン類取付ピンを装着されていることを特徴とする請求項１記載の装身具用連結具。
【請求項３】
前記フック部材は、その外面に係合フックを解除するための操作レバーを一体的に形成されていることを特徴とする請求項１記載の装身具用連結具。
【発明の詳細な説明】
【技術分野】
【０００１】
この発明は、ネックレスやブレスレット等のチェーンや紐類を用いた装身具を適宜位置で連結するための装身具用連結具に関するものである。
【背景技術】
【０００２】
従来、この種の装身具用連結具としては引輪と呼ばれる連結具がある。この引輪は、中空パイプからなるリング状の本体に形成した不連続部分に、中空パイプ内を進退するピンを取り付け、このピンを中空パイプに設けたスリット部分に突出させたレバーで操作することにより開閉するようになっている。
しかしながら、前記ピンは非常に小さいため、ピンに設けたレバーも小さく、頸の後ろ等における操作に手間がかかるという問題があった。
【０００３】
同様の先行技術としては、実開平４−６６９０７号公報（特許文献１参照）に記載の装身具の連結構造がある。
この装身具の連結構造は、基材の一端部に軸着させた第１ロック片の先端部を基材の他端部に着脱させてリング状の連結体を構成し、上記第1ロック片と同一方向に開閉する第２ロック片を上記連結体の適宜位置に軸着自在に設け、この第２ロック片を第１ロック片の長さ方向に形成した嵌入部に嵌入させるとともに、第２ロック片を基材の端部に着脱ロックさせたことを特徴とするものである。
【０００４】
また、特開２００２−６５３２２号公報には、装身具の一端に取り付けられた係止部材と、他端に設けられ前記係止部材と係合する係合手段とで構成された装身具の中留構造において、前記係止部材は、端部に係止溝を備え、前記係合手段は、前記係止部材が挿脱できる収容部と、該収容部内に回動可能に取り付けられた開閉駒と、該開閉駒の一端に設けられ、係止溝に係合する凸状の係合部と、前記係止溝内に前記係合部が入る向きに前記開閉駒を回動させる弾性部材と、該弾性部材の弾発力に抗して、前記開閉駒の他端に形成された押上げ部を押して、前記係止溝と前記係合部とが離れるように前記開閉駒を回動させるプッシュボタンとを備え、前記プッシュボタンは前記収容部の裏面に、押部を突出させて押圧可能に配置されていることを特徴とする装身具の中留構造が記載されている。
【先行技術文献】
【特許文献】
【０００５】
【特許文献１】実開平４−６６９０７号公報
【特許文献２】特開２００２−６５３２２号公報
【発明の概要】
【発明が解決しようとする課題】
【０００６】
しかしながらいずれの先行技術においても、引輪と同様の使い方が可能であり、頸の後ろ等でワンタッチで操作できるという、操作性に優れた装身具用連結具は提案されてはいない。
【０００７】
そこでこの発明は、引輪と同様の使い方が可能であり、頸の後ろ等でワンタッチで操作できるという、操作性に優れた装身具用連結具を提供することをその目的とするものである。
【課題を解決するための手段】
【０００８】
この発明の装身具用連結具は、中間部位において連結軸を用いて連結された一対の連結部材を備え、一方の連結部材の開放端部には係合凹部を設けるとともに、他方の筒状とした連結部材の開放端部には、首振り可能にフック部材を取り付けてあり、
該フック部材の係合フックを前記係合凹部に係合させて一対の連結部材間を閉鎖したり、前記フック部材の係合フックを解除して一対の連結部材間を開放するようにした装身具用連結具であって、
前記フック部材は前記他方の連結部材の開放端部に回動可能に軸着されていて、係合フックの軸着位置とは反対側において筒状の連結部材に内蔵したバネによって係合フックを閉じる方向に付勢され、かつ前記バネはその他端に配置した小球が、前記一方の連結部材の軸着部分の小球用凹部にはまり合うよう付勢して、前記一対の連結部材の閉鎖状態を確実に保持するとともに、前記一対の連結部材を開いたときには開放状態を確実に保持するようにしたことを特徴とするものである。
【０００９】
この発明の装身具用連結具において、前記一方の連結部材は、その外面に連結用チェーン類を取り付け可能な連結用チェーン類取付ピンを装着されていることをも特徴とするものである。
【００１０】
この発明の装身具用連結具において、前記フック部材は、その外面に係合フックを解除するための操作レバーを一体的に形成されていることをも特徴とするものである。
【発明の効果】
【００１１】
この発明の装身具用連結具は、引輪と同様の使い方が可能であり、頸の後ろ等でワンタッチで操作できるという、操作性に優れた装身具用連結具が提供できるという利点がある。
【図面の簡単な説明】
【００１２】
【図１】この発明の装身具用連結具の１実施の形態を示す側面図である。
【図２】その概略断面図である。
【図３】係合フックを解除した状態の概略断面図である。
【図４】一対の連結部材を開く途中の状態の概略断面図である。
【図５】一対の連結部材を開いた状態の概略断面図である。
【発明を実施するための形態】
【００１３】
引輪と同様の使い方が可能であり、頸の後ろ等でワンタッチで操作できるという、操作性に優れ、耐久性も大幅に向上した装身具用連結具を提供するという目的を、最小の部品点数で実現した。
【００１４】
図１ないし図５に示すように、この発明における装身具用連結具は、一対の円弧状に形成された連結部材１１，１２を備えており、一対の連結部材１１，１２は中間部位において軸１３を用いて連結されている。
そして、一方の連結部材１１の開放端部には係合凹部１４を設けるとともに、他方の連結部材１２の開放端部には、首振り可能にフック部材１５が取り付けてある。
したがってこの発明の装身具用連結具は、フック部材１５の係合フック１６を前記係合凹部１４に係合させて一対の連結部材間を閉鎖したり、前記フック部材１５の係合フック１６を解除して一対の連結部材１１，１２間を開放するものである。
【００１５】
より詳しくは、前記フック部材１５は前記他方の筒状とした連結部材１２の開放端部に回動軸１７を介して回動可能に軸着されており、係合フック１６の反対側の押圧部１８の対応位置において筒状の連結部材１２に内蔵したバネ１９によって係合フック１６を閉じる方向に付勢するようになっている。
図において２０は、フック部材１５の外面に一体的に形成した係合フック１６を解除するための操作レバー、２１は該操作レバー２０の後端部分に突設し、前記バネ１９の端部にはめ込んだバネ用係合ピンである。
【００１６】
このように構成されているため、一対の連結部材１１，１２を閉じる方向に作動させ、他方の連結部材１２上のフック部材１５の係合フック１６を一方の連結部材１１の開放端部に押し付けると、係合フック１６の先端は一方の連結部材１１の係合凹部１４の前壁を乗り越えて係合凹部１４にはめ込まれる。
逆に、一対の連結部材１１，１２を開放するには、操作レバー２０を指で起こしてフック部材１５の押圧部１８を押し下げながら係合フック１６の先端を持ち上げ、係合凹部１４から外せばよい。
【００１７】
前記筒状の連結部材１２に内蔵したバネ１９の他端には、小球２２が配置してあり、また前記一方の連結部材１１の軸着部分の端部には前記小球２２をはめ込む小球用凹部２３が形成されている。
したがって、常態においては図２に示すように、バネ１９は小球２２と小球用凹部２３とがはまり合うよう付勢しており、前記一対の連結部材１１，１２の閉鎖状態を確実に保持するようになっている。
また前記一対の連結部材１１，１２を開いたときには、前記小球２２は小球用凹部２３から外れて、図５に示すように前記一方の連結部材１１の外面上に位置しており、一対の連結部材１１，１２の開放状態を確実に保持するようになっている。
このように、前記バネ１９はフック部材１５の係合フック１６の閉じる方向への付勢と、前記小球２２を小球用凹部２３にはめ込む方向への付勢との両方の機能を果たすものである。
【００１８】
この発明の装身具用連結具において、前記一方の連結部材１１は、その外面に連結用チェーン類（図示せず）を取り付け可能な連結用チェーン類取付ピン３１と、その基部に連結用チェーン類用カバー３２とを装着されている。
【００１９】
この発明の装身具用連結具の使用に際しては、図１および図２に示すような一対の連結部材１１，１２が閉じた状態から、図３に示すように操作レバー２０を指で起こしてフック部材１５の押圧部１８を押し下げ、係合フック１６の先端を係合凹部１４から持ち上げることにより一対の連結部材１１，１２を開く。
【００２０】
図４に示すように、前記一対の連結部材１１，１２を徐々に開いていき、連結部材１１，１２を開放したときには、前記小球２２は小球用凹部２３から外れ、図５に示すように前記一方の連結部材１１の外面上に位置した状態となって、一対の連結部材１１，１２の開放状態は確実に保持される。
【００２１】
その上で、一方の連結用チェーン類端部の丸環を一対の連結部材１１，１２間にはめ込み、一対の連結部材１１，１２間を指で挟み付けて閉じれば、他方の連結部材１２上のフック部材１５の係合フック１６は、図２に示すようにその先端が一方の連結部材１１の係合凹部１４の前壁を乗り越えて係合凹部１４にはめ込まれる。そのため、一対の連結部材１１，１２間は強固に連結されるのである。
図においては、連結用チェーン類を連結用チェーン類取付ピン３１に取り付ける場合について説明したが、連結用チェーン類の他端にも丸環を取り付けて、両方の丸環を一対の連結部材１１，１２間にはめ込んで連結するようにしてもよい。
【００２２】
もちろん、連結用チェーン類を外す際には、上記と逆の操作をすれば、極めて簡単に連結用チェーン類を抜き取ることができるのである。
【産業上の利用可能性】
【００２３】
この発明の装身具用連結具によれば、従来の引輪のようなネックレスやペンダント、ブレスレット等の装身具用の連結用チェーン類の連結に用いることができることはもちろん、その他種々の装身具用の連結用チェーン類の連結に使用できることはいうまでもない。
【符号の説明】
【００２４】
１１，１２  連結部材
１３  軸
１４  係合凹部
１５  フック部材
１６  係合フック
１７  回動軸
１８  押圧部
１９  バネ
２０  操作レバー
２１  バネ用係合ピン
２２  小球
２３  小球用凹部
３１  連結用チェーン類取付ピン
３２  連結用チェーン類用カバー
【図１】
2012187335.tif 000003
【図２】
2012187335.tif 000004
【図３】
2012187335.tif 000005
【図４】
2012187335.tif 000006
【図５】
2012187335.tif 000007